(57)【要約】【課題】短時間に効率よく組み立てることができ、廉価に作ることができるボックスティッシュホルダー付き箱を提供する。【解決手段】ボックスティッシュホルダー付き箱１０の前面パネル１１は、一方の側辺の幅方向内方に位置して底辺から頂辺に向かって上下方向へ延びる第１切り離し線と、他方の側辺の幅方向内方に位置して底辺から頂辺に向かって上下方向へ延びる第２切り離し線と、頂辺の上下方向下方に位置して第１及び第２切り離し線に繋がって幅方向へ延びる第３切り離し線とを有する。ボックスティッシュホルダー付き箱１０では、第１〜第３切り離し線に囲繞された切り離しパネルが前面パネルに画成され、切り離しパネルが第１〜第３切り離し線によって前面パネルから切り離され、底面パネルと並行するように前面パネルの底辺を中心に前後方向前方へ折り曲げられてその上面にボックステッシュを載置可能なボックスティッシュホルダーを形成している。【選択図】図１
2020090313.tif 000002
【特許請求の範囲】
【請求項１】
前後方向へ対向する前面パネル及び後面パネルと、上下方向へ対向する頂面パネル及び底面パネルと、幅方向へ対向する両側面パネルと、それらパネルに囲繞された収容スペースと、前記頂面パネルに形成された頂部開口とを備え、
前記前面パネルが、その一方の側辺の幅方向内方に位置してその底辺から頂辺に向かって上下方向へ延びる第１切り離し線と、その他方の側辺の幅方向内方に位置してその底辺から頂辺に向かって上下方向へ延びる第２切り離し線と、前記頂辺の上下方向下方に位置して前記第１及び第２切り離し線に繋がって幅方向へ延びる第３切り離し線とを有し、前記第１〜第３切り離し線に囲繞された所定面積の切り離しパネルが、前記前面パネルに画成され、
前記切り離しパネルが、前記第１〜第３切り離し線によって前記前面パネルから切り離され、前記底面パネルと並行するように前記前面パネルの底辺を中心に前後方向前方へ折り曲げられてその上面にボックステッシュを載置可能なボックスティッシュホルダーを形成していることを特徴とするボックスティッシュホルダー付き箱。
【請求項２】
前記ボックスティッシュホルダー付き箱では、前記切り離しパネルが切り離された後の前記前面パネルに前記ボックステッシュの底面が当接し、前記切り離しパネルの上面に前記ボックステッシュの前後面のうちのいずれか一方が当接するように、前記ボックステッシュが前記切り離しパネルによって形成されたボックスティッシュホルダーに載置され、前記頂面パネルに形成された頂部開口から前記収容スペースに使用済みのティッシュペーパーを収容する請求項１に記載のボックスティッシュホルダー付き箱。
【請求項３】
前記切り離しパネルが、その前辺の前後方向後方に位置して幅方向へ延びる第１折り曲げ線を有し、前記切り離しパネルでは、前記前面パネルの底辺と前記第１折り曲げ線との間に延びる後半部分が前記ボックステッシュの前後面のうちのいずれか一方が当接する第１当接パネルを形成し、前記第１折り曲げ線によって上下方向上方へ折り曲げられた該切り離しパネルの前半部分が前記ボックステッシュの頂面に当接する第２当接パネルを形成している請求項２に記載のボックスティッシュホルダー付き箱。
【請求項４】
前記切り離しパネルが、その一方の側辺の幅方向内方に位置して前記第１折り曲げ線の幅方向内方から前後方向へ延びる第４切り離し線と、その他方の側辺の幅方向内方に位置して前記第１折り曲げ線の幅方向内方から前後方向へ延びる第５切り離し線と、前記第１折り曲げ線の前後方向後方に位置して前記第４及び第５切り離し線に繋がって幅方向へ延びる第６切り離し線とを有し、前記切り離しパネルでは、前記第４〜第６切り離し線によって切り離された該切り離しパネルの中央部分が前記当接パネルとひと繋がりになって該当接パネルから上下方向下方へ延びる脚パネルを形成している請求項３に記載のボックスティッシュホルダー付き箱。
【請求項５】
前記ボックスティッシュホルダー付き箱では、前記脚パネルの先端辺が該ボックスティッシュホルダー付き箱を載置する載置面に当接することで、前記第１当接パネルが前記前面パネルの底辺から前記第２当接パネルに向かって上り勾配に傾斜し、前記第２当接パネルが前記前面パネルに向かって所定角度で傾斜する請求項４に記載のボックスティッシュホルダー付き箱。
【請求項６】
前記ボックスティッシュホルダー付き箱では、前記前面パネルがその底辺から頂辺に向かって前記後面パネルの側に傾斜し、前記前面パネルと前記第２当接パネルとが互いに平行するように上下方向へ延びている請求項５に記載のボックスティッシュホルダー付き箱。
【請求項７】
前記切り離しパネルが、前記第４切り離し線の幅方向内方に位置して前記第６切り離し線の幅方向内方から前後方向へ延びる第７切り離し線と、前記第５切り離し線の幅方向内方に位置して前記第６切り離し線の幅方向内方から前後方向へ延びる第８切り離し線と、前記第６切り離し線の前後方向後方に位置して前記第７及び第８切り離し線に繋がって幅方向へ延びる第９切り離し線とを有し、前記切り離しパネルでは、前記第７〜第９切り離し線によって切り離された該切り離しパネルの中央部分が前記脚パネルとひと繋がりになって該脚パネルから上下方向下方へ延びる接地パネルを形成している請求項５又は請求項６に記載のボックスティッシュホルダー付き箱。
【請求項８】
前記切り離しパネルが、前記第６切り離し線の幅方向内方に位置して該第６切り離し線に繋がって幅方向へ延びる第２折り曲げ線を有し、前記切り離しパネルでは、前記接地パネルが前記第２折り曲げ線によって折り曲げられ、前記接地パネルが該ボックスティッシュホルダー付き箱を載置する載置面に面で当接する請求項７に記載のボックスティッシュホルダー付き箱。
【発明の詳細な説明】
【技術分野】
【０００１】
本発明は、ボックスティッシュホルダー付き箱に関する。
【背景技術】
【０００２】
箱状に成形されて正面及び背面にゴミ箱挿入開口が設けられたゴミ箱本体と、ティッシュペーパーを収納したボックスティッシュを載置可能であってゴミ箱本体と略等しい平面積を有してゴミ箱本体の上部に一体に連結されたティッシュケースと、上部が開放されてゴミ箱挿入開口を介してゴミ箱本体に出没可能に収容されるとともに、水平軸により開閉自在に軸着されたゴミ投入用扉を有するゴミ箱とを備え、ゴミ投入用扉を回動して半開き状態とし、ゴミ投入用扉上端とゴミ箱挿入開口上端との間に使用済みのティッシュペーパーを投入可能なスペースが形成されるようにしたゴミ箱付ティッシュペーパーケースが開示されている（特許文献１参照）。
【先行技術文献】
【特許文献】
【０００３】
【特許文献１】特開２００８−６８９１２号公報
【発明の概要】
【発明が解決しようとする課題】
【０００４】
前記特許文献１に開示のゴミ箱付ティッシュペーパーケースは、正面及び背面にゴミ箱挿入開口を有するゴミ箱本体を作り、ゴミ箱本体の上部にティッシュケースを一体に連結するとともに、ゴミ箱本体に回動可能にゴミ投入用扉を設置する必要があり、ゴミ箱付ティッシュペーパーケースの作成に時間と手間とを要し、短時間に効率よくゴミ箱付ティッシュペーパーケースを作ることができないのみならず、廉価に作ることができない。又、ゴミ箱付ティッシュペーパーケースは、その重量が重く、各箇所に手軽に移動させてその設置場所を容易に変えることが難しい。
【０００５】
本発明の目的は、短時間に効率よく組み立てることができ、廉価に作ることができるボックスティッシュホルダー付き箱を提供することにある。本発明の他の目的は、軽量であって容易に持ち運ぶことができ、各箇所に手軽に移動させてその載置場所を容易に変えることができるボックスティッシュホルダー付き箱を提供することにある。本発明の他の目的は、ボックスティッシュを載置することができ、そのボックスティッシュのティッシュペーパーを使用しつつ、使用済みのティッシュペーパーを収容することができるボックスティッシュホルダー付き箱を提供することにある。
【課題を解決するための手段】
【０００６】
前記課題を解決するための本発明のボックスティッシュホルダー付き箱は、前後方向へ対向する前面パネル及び後面パネルと、上下方向へ対向する頂面パネル及び底面パネルと、幅方向へ対向する両側面パネルと、それらパネルに囲繞された収容スペースと、頂面パネルに形成された頂部開口とを備え、前面パネルが、その一方の側辺の幅方向内方に位置してその底辺から頂辺に向かって上下方向へ延びる第１切り離し線と、その他方の側辺の幅方向内方に位置してその底辺から頂辺に向かって上下方向へ延びる第２切り離し線と、頂辺の上下方向下方に位置して第１及び第２切り離し線に繋がって幅方向へ延びる第３切り離し線とを有し、第１〜第３切り離し線に囲繞された所定面積の切り離しパネルが、前面パネルに画成され、切り離しパネルが、第１〜第３切り離し線によって前面パネルから切り離され、底面パネルと並行するように前面パネルの底辺を中心に前後方向前方へ折り曲げられてその上面にボックステッシュを載置可能なボックスティッシュホルダーを形成していることを特徴とする。
【０００７】
本発明のボックスティッシュホルダー付き箱の一例として、ボックスティッシュホルダー付き箱では、切り離しパネルが切り離された後の前面パネルにボックステッシュの底面が当接し、切り離しパネルの上面にボックステッシュの前後面のうちのいずれか一方が当接するように、ボックステッシュが切り離しパネルによって形成されたボックスティッシュホルダーに載置され、頂面パネルに形成された頂部開口から収容スペースに使用済みのティッシュペーパーを収容する
【０００８】
本発明のボックスティッシュホルダー付き箱の他の一例としては、切り離しパネルが、その前辺の前後方向後方に位置して幅方向へ延びる第１折り曲げ線を有し、切り離しパネルでは、前面パネルの底辺と第１折り曲げ線との間に延びる後半部分がボックステッシュの前後面のうちのいずれか一方が当接する第１当接パネルを形成し、第１折り曲げ線によって上下方向上方へ折り曲げられた切り離しパネルの前半部分がボックステッシュの頂面に当接する第２当接パネルを形成している。
【０００９】
本発明のボックスティッシュホルダー付き箱の他の一例としては、切り離しパネルが、その一方の側辺の幅方向内方に位置して第１折り曲げ線の幅方向内方から前後方向へ延びる第４切り離し線と、その他方の側辺の幅方向内方に位置して第１折り曲げ線の幅方向内方から前後方向へ延びる第５切り離し線と、第１折り曲げ線の前後方向後方に位置して第４及び第５切り離し線に繋がって幅方向へ延びる第６切り離し線とを有し、切り離しパネルでは、第４〜第６切り離し線によって切り離された切り離しパネルの中央部分が当接パネルとひと繋がりになって当接パネルから上下方向下方へ延びる脚パネルを形成している。
【００１０】
本発明のボックスティッシュホルダー付き箱の他の一例として、ボックスティッシュホルダー付き箱では、脚パネルの先端辺がボックスティッシュホルダー付き箱を載置する載置面に当接することで、第１当接パネルが前面パネルの底辺から第２当接パネルに向かって上り勾配に傾斜し、第２当接パネルが前面パネルに向かって所定角度で傾斜する。
【００１１】
本発明のボックスティッシュホルダー付き箱の他の一例として、ボックスティッシュホルダー付き箱では、前面パネルがその底辺から頂辺に向かって後面パネルの側に傾斜し、前面パネルと第２当接パネルとが互いに平行するように上下方向へ延びている。
【００１２】
本発明のボックスティッシュホルダー付き箱の他の一例としては、切り離しパネルが、第４切り離し線の幅方向内方に位置して第６切り離し線の幅方向内方から前後方向へ延びる第７切り離し線と、第５切り離し線の幅方向内方に位置して第６切り離し線の幅方向内方から前後方向へ延びる第８切り離し線と、第６切り離し線の前後方向後方に位置して第７及び第８切り離し線に繋がって幅方向へ延びる第９切り離し線とを有し、切り離しパネルでは、第７〜第９切り離し線によって切り離された切り離しパネルの中央部分が脚パネルとひと繋がりになって脚パネルから上下方向下方へ延びる接地パネルを形成している。
【００１３】
本発明のボックスティッシュホルダー付き箱の他の一例としては、切り離しパネルが、第６切り離し線の幅方向内方に位置して第６切り離し線に繋がって幅方向へ延びる第２折り曲げ線を有し、切り離しパネルでは、接地パネルが第２折り曲げ線によって折り曲げられ、接地パネルがボックスティッシュホルダー付き箱を載置する載置面に面で当接する。
【発明の効果】
【００１４】
本発明に係るボックスティッシュホルダー付き箱によれば、前面パネルに第１〜第３切り離し線に囲繞された所定面積の切り離しパネルが画成され、切り離しパネルが第１〜第３切り離し線によって前面パネルから切り離され、切り離しパネルが底面パネルと並行するように前面パネルの底辺を中心に前後方向前方へ折り曲げられてその上面にボックステッシュを載置可能なボックスティッシュホルダーを形成しているから、六面体の箱の前面パネルに画成された切り離しパネルを利用してボックスティッシュホルダーを作ることができ、短時間に効率よく組み立てることができ、廉価に作ることができる。ボックスティッシュホルダー付き箱は、それ自体の前面パネルに画成された切り離しパネルを利用してボックスティッシュホルダーが作られているから、箱とは別の部材を利用することはなく、軽量であって容易に持ち運ぶことができ、各箇所に手軽に移動させてその載置場所を容易に変えることができる。
【００１５】
切り離しパネルが切り離された後の前面パネルにボックステッシュの底面が当接し、切り離しパネルの上面にボックステッシュの前後面のうちのいずれか一方が当接するように、ボックステッシュが切り離しパネルによって形成されたボックスティッシュホルダーに載置され、頂面パネルに形成された頂部開口から収容スペースに使用済みのティッシュを収容するボックスティッシュホルダー付き箱は、切り離しパネルが切り離された後の前面パネルにボックステッシュの底面を当接させ、切り離しパネルの上面にボックステッシュの前後面のうちのいずれか一方を当接させることで、前面パネルの部分（切り離しパネル）を利用したボックスティッシュホルダーにボックスティッシュを載置することができるとともに、ボックスティッシュホルダーに載置されたボックスティッシュのティッシュペーパーを使用しつつ、使用済みのティッシュペーパーを頂部開口から収容スペースに収容することで、収容スペースを使用済みのティッシュペーパーを収容するゴミ箱として利用することができる。
【００１６】
切り離しパネルがその前辺の前後方向後方に位置して幅方向へ延びる第１折り曲げ線を有し、前面パネルの底辺と第１折り曲げ線との間に延びる後半部分がボックステッシュの前後面のうちのいずれか一方が当接する第１当接パネルを形成し、第１折り曲げ線によって上下方向上方へ折り曲げられた切り離しパネルの前半部分がボックステッシュの頂面に当接する第２当接パネルを形成しているボックスティッシュホルダー付き箱は、ボックステッシュの前後面のうちのいずれか一方が当接する第１当接パネルとボックステッシュの頂面に当接する第２当接パネルとが切り離しパネルに形成され、切り離しパネルが切り離された後の前面パネルにボックステッシュの底面を当接させ、第１当接パネルにボックステッシュの前後面のうちのいずれか一方を当接させるとともに、第２当接パネルにボックステッシュの頂面を当接させることで、六面体の箱の前面パネルに画成された切り離しパネルを利用したボックスティッシュホルダーにボックスティッシュを確実に支持させることができる。
【００１７】
切り離しパネルがその一方の側辺の幅方向内方に位置して第１折り曲げ線の幅方向内方から前後方向へ延びる第４切り離し線とその他方の側辺の幅方向内方に位置して第１折り曲げ線の幅方向内方から前後方向へ延びる第５切り離し線と第１折り曲げ線の前後方向後方に位置して第４及び第５切り離し線に繋がって幅方向へ延びる第６切り離し線とを有し、第４〜第６切り離し線によって切り離された切り離しパネルの中央部分が当接パネルとひと繋がりになって当接パネルから上下方向下方へ延びる脚パネルを形成しているボックスティッシュホルダー付き箱は、ボックスティッシュホルダー付き箱を載置する載置面に脚パネルを当接させることで、第１当接パネルを前面パネルの底辺から第２当接パネルに向かって上り勾配に傾斜させることができ、ボックスティッシュをボックスティッシュホルダーに載置したときに、第１当接パネルに載置されたボックスティッシュが前面パネルに向かって倒れ込み、ボックスティッシュホルダーに載置されたボックスティッシュの底面を前面パネルに寄り掛からせることができ、ボックスティッシュをボックスティッシュホルダーに支持させることができる。
【００１８】
脚パネルの先端辺がボックスティッシュホルダー付き箱を載置する載置面に当接することで、第１当接パネルが前面パネルの底辺から第２当接パネルに向かって上り勾配に傾斜し、第２当接パネルが前面パネルに向かって所定角度で傾斜するボックスティッシュホルダー付き箱は、脚パネルの先端辺をボックスティッシュホルダー付き箱を載置する載置面に当接させることで、第１当接パネルを上り勾配に傾斜させ、第２当接パネルを所定角度で傾斜させることができるから、ボックスティッシュをボックスティッシュホルダーに載置したときに、第１当接パネルに載置されたボックスティッシュが前面パネルに向かって倒れ込むとともに、第２当接パネルにボックスティッシュ頂面が当接し、ボックスティッシュホルダーに載置されたボックスティッシュの底面を前面パネルに寄り掛からせることができ、ボックスティッシュをボックスティッシュホルダーに確実に支持させることができる。
【００１９】
前面パネルがその底辺から頂辺に向かって後面パネルの側に傾斜し、前面パネルと第２当接パネルとが互いに平行するように上下方向へ延びているボックスティッシュホルダー付き箱は、所定角度で傾斜する第２当接パネルに前面パネルが平行することで、前面パネルと第２当接パネルとの間にボックスティッシュを配置することができ、前面パネルと第１及び第２当接パネルとを利用してボックスティッシュをボックスティッシュホルダーに確実に支持させることができる。
【００２０】
切り離しパネルが第４切り離し線の幅方向内方に位置して第６切り離し線の幅方向内方から前後方向へ延びる第７切り離し線と第５切り離し線の幅方向内方に位置して第６切り離し線の幅方向内方から前後方向へ延びる第８切り離し線と第６切り離し線の前後方向後方に位置して第７及び第８切り離し線に繋がって幅方向へ延びる第９切り離し線とを有し、第７〜第９切り離し線によって切り離された切り離しパネルの中央部分が脚パネルとひと繋がりになって脚パネルから上下方向下方へ延びる接地パネルを形成しているボックスティッシュホルダー付き箱は、ボックスティッシュホルダー付き箱を載置する載置面に接地パネルを当接させることで、脚パネルのずれ動きを防ぐことができ、脚パネルを載置面に対してずれ動くことなく当接させることができる。ボックスティッシュホルダー付き箱は、接地パネルによって脚パネルが載置面に対してずれ動くことなく当接するから、第１当接パネルを前面パネルの底辺から第２当接パネルに向かって上り勾配に傾斜させることができ、ボックスティッシュをボックスティッシュホルダーに載置したときに、第１当接パネルに載置されたボックスティッシュが前面パネルに向かって倒れ込み、ボックスティッシュホルダーに載置されたボックスティッシュの底面を前面パネルに寄り掛からせることができ、ボックスティッシュをボックスティッシュホルダーに確実に支持させることができる。
【００２１】
切り離しパネルが第６切り離し線の幅方向内方に位置して第６切り離し線に繋がって幅方向へ延びる第２折り曲げ線を有し、接地パネルが第２折り曲げ線によって折り曲げられ、接地パネルがボックスティッシュホルダー付き箱を載置する載置面に面で当接するボックスティッシュホルダー付き箱は、ボックスティッシュホルダー付き箱を載置する載置面に接地パネルが面で当接することで、脚パネルのずれ動きを確実に防ぐことができ、脚パネルを載置面に対してずれ動くことなく当接させることができる。ボックスティッシュホルダー付き箱は、載置面に面で当接する接地パネルによって脚パネルが載置面に対してずれ動くことなく当接するから、第１当接パネルを前面パネルの底辺から第２当接パネルに向かって上り勾配に傾斜させることができ、ボックスティッシュをボックスティッシュホルダーに載置したときに、第１当接パネルに載置されたボックスティッシュが前面パネルに向かって倒れ込み、ボックスティッシュホルダーに載置されたボックスティッシュの底面を前面パネルに寄り掛からせることができ、ボックスティッシュをボックスティッシュホルダーに確実に支持させることができる。
【図面の簡単な説明】
【００２２】
【図１】一例として示すボックスティッシュホルダー付き箱の斜視図。
【図２】組み立てる前の状態で示すボックスティッシュホルダー付き箱の展開平面図。
【図３】組み立て途中を示すボックスティッシュホルダー付き箱の斜視図。
【図４】図３から続く組み立て途中を示すボックスティッシュホルダー付き箱の斜視図。
【図５】ボックスティッシュを載置した状態で示すボックスティッシュホルダー付き箱の斜視図。
【図６】使用済みのティッシュペーパーの収容スペースからの廃棄を説明するボックスティッシュホルダー付き箱の斜視図。
【発明を実施するための形態】
【００２３】
一例として示すボックスティッシュホルダー付き箱１０の斜視図である図１等の添付の図面を参照し、本発明に係るボックスティッシュホルダー付き箱の詳細を説明すると、以下のとおりである。なお、図２は、組み立てる前の状態で示すボックスティッシュホルダー付き箱１０の展開平面図であり、図３は、組み立て途中を示すボックスティッシュホルダー付き箱１０の斜視図であり、図４は、図３から続く組み立て途中を示すボックスティッシュホルダー付き箱１０の斜視図である。図１では、上下方向を矢印Ｘ、幅方向を矢印Ｙで示し、前後方向を矢印Ｚで示す。
【００２４】
ボックスティッシュホルダー付き箱１０は、前後方向へ対向する前面（正面）パネル１１及び後面（背面）パネル１２と、上下方向へ対向する頂面パネル１３及び底面パネル１４と、幅方向へ対向する両側面パネル１５，１６とを備えている。前後面パネル１１，１２や頂底面パネル１３，１４、両側面パネル１５，１６は、所定の厚み寸法を有するプラスチックシート（無色不透明なプラスチックシート、有色不透明なプラスチックシート、無色透明なプラスチックシート、有色透明なプラスチックシート、）から作られている。なお、前後面パネル１１，１２や頂底面パネル１３，１４、両側面パネル１５，１６が所定の厚み寸法を有する厚紙から作られていてもよい。ボックスティッシュホルダー付き箱１０には、それらパネル１１〜１６に囲繞された所定容積の収容スペース１７が画成されている。ボックスティッシュホルダー付き箱１０は、プラスチックシート又は厚紙から作られているから、その重量が軽い（軽量）。
【００２５】
前面パネル１１は、幅方向へ長い矩形に成形されて上下方向へ延びている。後面パネル１２は、前面パネル１１の前後方向後方に位置し、幅方向へ長い矩形に成形されて上下方向へ延びている。前面パネル１１には、第１切り離し線１８と第２切り離し線１９と第３切り離し線２０とが形成され、第１〜第３切り離し線１８〜２０に囲繞された所定面積の切り離しパネル２１が画成されている。後面パネル１２は、上下方向の長さ寸法が前面パネル１１の上下方向の長さ寸法よりも短い。頂面パネル１３は、幅方向へ長い矩形に成形され、前面パネル１１と後面パネル１２との間に位置して前後方向へ延びている。
【００２６】
頂面パネル１３には、幅方向へ長い矩形の頂部開口２２が形成されている。底面パネル１４は、幅方向へ長い矩形に成形され、前面パネル１１と後面パネル１２との間に位置して前後方向へ延びている。底面パネル１４は、前後方向の長さ寸法が頂面パネル１３の前後方向の長さ寸法よりも長い。両側面パネル１５，１６は、上下方向上方から下方に向かって末広がりの略矩形に成形され、前面パネル１１と後面パネル１２との間に位置して前後方向へ延びている。
【００２７】
図２の展開平面図では、底面パネル１４が底辺２３（下端縁）を介して前面パネル１１に連接され、後面パネル１２が底辺２４（下端縁）を介して底面パネル１４に連接されている。一方の側面パネル１５が後面パネル１２の一方の側辺２５（側縁）を介してパネル１２に連接され、他方の側面パネル１６が後面パネル１２の他方の側辺２６（側縁）を介してパネル１２に連接されている。頂面パネル１３が頂辺２７（上端縁）を介して後面パネル１２に連接されている。前面パネル１１の頂辺２８（上端縁）には、幅方向へ並ぶ同形同大の一対の差し込みフラップ２９が連接されている。
【００２８】
前面パネル１１の一方の側辺３０（側縁）には、前後方向（上下方向）へ並ぶ同形同大の一対の係止フラップ３１が連接され、前面パネル１１の他方の側辺３２（側縁）には、前後方向（上下方向）へ並ぶ同形同大の一対の係止フラップ３３が連接されている。一方の側面パネル１５の側辺３４（側縁）には、前後方向（上下方向）へ延びる当接フラップ３５が連接されているとともに、前面パネル１１の一方の側辺３０に連接されたそれら係止フラップ３１を挿入する挿入用切り込み３６が形成されている。他方の側面パネル１６の側辺３７（側縁）には、前後方向（上下方向）へ延びる当接フラップ３８が連接されているとともに、前面パネル１１の他方の側辺１６に連接されたそれら係止フラップ３３を挿入する挿入用切り込み３９が形成されている。当接フラップ３５，３８が連接された側面パネル１５，１６の側辺３４，３７の長さ寸法は、側面パネル１５，１６が連接された後面パネル１２の側辺２５，２６の長さ寸法よりも長い。
【００２９】
後面パネル１２の頂辺２７（上端縁）には、頂部開口２２に延出して幅方向へ延びる摘持パネル４０が連接されている。頂面パネル１１の頂辺６８（上端縁）には、幅方向へ並ぶ同形同大の一対の押さえフラップ４１が連接されている。それら押さえフラップ４１には、幅方向へ延びる挿入開口４２が形成され、前面パネル１１の頂辺２８（上端縁）に連接された差し込みフラップ２９が押さえフラップ４１の挿入開口４２に挿脱可能に挿入される。頂面パネル１２の頂辺６８（上端縁）であってそれら押さえフラップ４１の間には、幅方向へ長い当接フラップ４３が連接されている。
【００３０】
第１切り離し線１８は、前面パネル１１の一方の側辺３０（側縁）の幅方向内方に位置し、パネル１１の底辺２３（下端縁）から頂辺２８（上端縁）に向かって側辺３０に並行するように上下方向上方（前後方向前方）へ延びている。第１切り離し線１８の延出端４４は、前面パネル１１の頂辺２８（上端縁）の上下方向下方に位置している。第２切り離し線１９は、前面パネル１１の他方の側辺３２（側縁）の幅方向内方に位置し、パネル１１の底辺２３（下端縁）から頂辺２８（上端縁）に向かって側辺３２に並行するように上下方向上方（前後方向前方）へ延びている。第２切り離し線１９の延出端４５は、前面パネル１１の頂辺２８（上端縁）の上下方向下方に位置している。第３切り離し線２０は、前面パネル１１の頂辺２８（上端縁）の上下方向下方に位置し、第１及び第２切り離し線１８，１９に繋がって頂辺２８に並行するように幅方向へ延びている。第３切り離し線２０は、第１及び第２切り離し線１８，１９を結んで第１切り離し線１８の延出端４４と第２切り離し線１９の延出端４５との間に延びている。
【００３１】
切り離しパネル２１は、第１〜第３切り離し線１８，２０によって前面パネル１１から切り離され、底面パネル１２と並行するように前面パネル１１の底辺２３（下端縁）を中心に前後方向前方へ折り曲げられている。切り離しパネル２１は、その上面にボックステッシュ７１（図５参照）を載置可能なボックスティッシュホルダー４６を形成している。切り離しパネル２１には、第１折り曲げ線４７及び第２折り曲げ線４８が形成され、第４切り離し線４９と第５切り離し線５０と第６切り離し線５１とが形成されているとともに、第７切り離し線５２と第８切り離し線５３と第９切り離し線５４とが形成されている。
【００３２】
第１折り曲げ線４７は、切り離しパネル２１の前辺５５（前端縁）の前後方向後方（上下方向下方）に位置（前面パネル１１の底辺２３（下端縁）と切り離しパネル２１の前辺５５（前端縁）との間に位置）して幅方向へ延びている。第４切り離し線４９は、切り離しパネル２１の一方の側辺５６（側縁）の幅方向内方に位置し、第１折り曲げ線４７に繋がって第１折り曲げ線４７の幅方向内方から側辺５６に並行するように前後方向後方（上下方向下方）へ延びている。第４切り離し線４９の延出端５７は、第１折り曲げ線４７の前後方向後方（上下方向下方）に位置している。
【００３３】
第５切り離し線５０は、切り離しパネル２１の他方の側辺５８（側縁）の幅方向内方に位置し、第１折り曲げ線４７に繋がって第１折り曲げ線４７の幅方向内方から側辺５８に並行するように前後方向後方（上下方向下方）へ延びている。第５切り離し線５０の延出端５９は、第１折り曲げ線４７の前後方向後方（上下方向下方）に位置している。第６切り離し線５１は、第１折り曲げ線４７の前後方向後方（上下方向下方）に位置し、第４及び第５切り離し線４９，５０に繋がって第１折り曲げ線４７に並行するように幅方向へ延びている。第６切り離し線５１は、第４及び第５切り離し線４９，５０を結んで第４切り離し線４９の延出端５７と第５切り離し線５０の延出端５９との間に延びている。
【００３４】
第７切り離し線５２は、第４切り離し線４９の幅方向内方に位置し、第６切り離し線５１に繋がって第６切り離し線５１の幅方向内方の延出端６０から第４切り離し線４９と並行するように前後方向後方（上下方向下方）へ延びている。第７切り離し線５２の延出端６１は、第６切り離し線５１の前後方向後方（上下方向下方）に位置している。第８切り離し線５３は、第５切り離し線５０の幅方向内方に位置し、第６切り離し線５１に繋がって第６切り離し線５１の幅方向内方の延出端６２から第５切り離し線５０と並行するように前後方向後方（上下方向下方）へ延びている。第８切り離し線５３の延出端６３は、第６切り離し線５１の前後方向後方（上下方向下方）に位置している。
【００３５】
第９切り離し線５４は、第６切り離し線５１の前後方向後方（上下方向下方）に位置し、第７及び第８切り離し線５２，５３に繋がって第６切り離し線５１と並行するように幅方向へ延びている。第９切り離し線５４は、第７及び第８切り離し線５２，５３を結んで第７切り離し線５２の延出端６１と第８切り離し線５２の延出端６３との間に延びている。第２折り曲げ線４８は、第１折り曲げ線４７の前後方向後方（上下方向下方）に位置（前面パネル１１の底辺２３（下端縁）と第１折り曲げ線４７との間に位置）するとともに、第６切り離し線５１の幅方向内方に位置し、第６切り離し線５１に繋がって幅方向へ延びている。
【００３６】
ボックスティッシュホルダー付き箱１０では、第１折り曲げ線４７から前後方向後方（上下方向下方）に延びる切り離しパネル２１の後半部分（前面パネル１１の底辺２３と第１折り曲げ線４７との間に延びる切り離しパネル２１の後半部分）が第１当接パネル６４を形成し、第１折り曲げ線４７から前後方向前方（上下方向上方）に延びる切り離しパネル２１の前半部分（第１折り曲げ線４７と第３切り離し線２０との間に延びる切り離しパネル２１の前半部分）が第２当接パネル６５を形成する。
【００３７】
ボックスティッシュホルダー付き箱１０では、第４〜第６切り離し線４９〜５１によって切り離された切り離しパネル２１の中央部分（第１折り曲げ線４７と第２折り曲げ線４８との間に延びる切り離しパネル２１の中央部分）が第２当接パネル６５とひと繋がりになった脚パネル６６を形成し、第７〜第９切り離し線５２〜５４によって切り離された切り離しパネル２１の中央部分（第２折り曲げ線４８と第９切り離し線５４との間に延びる切り離しパネル２１の中央部分）が脚パネル６６とひと繋がりになった接地パネル６７を形成している。
【００３８】
図２の展開平面図からボックスティッシュホルダー付き箱１０を組み立てる手順の一例は、以下のとおりである。前面パネル１１が底面パネル１４に対して直交するように、前面パネル１１を底辺２３（下端縁）において略９０度折曲し（折り曲げ）、後面パネル１２が底面パネル１４に対して直交するように、後面パネル１２を底辺２４（端縁）において略９０度折曲する（折り曲げる）。一方の側面パネル１５が後面パネル１２に対して直交するように、一方の側面パネル１５を一方の側辺２５（側縁）において略９０度折曲するとともに（折り曲げるとともに）、一方の側面パネル１５の側辺３４（側縁）に連接された当接フラップ３５が一方の側面パネル１５に対して直交するように、当接フラップ３５を側辺３４において略９０度折曲する（折り曲げる）。他方の側面パネル１６が後面パネル１２に対して直交するように、他方の側面パネル１６を他方の側辺２６（側縁）において略９０度折曲するとともに（折り曲げるとともに）、他方の側面パネル１６の側辺３７（側縁）に連接された当接フラップ３８が他方の側面パネル１６に対して直交するように、当接フラップ３８を側辺３７において略９０度折曲する（折り曲げる）。
【００３９】
次に、前面パネル１１の一方の側辺３０（側縁）に連接されたそれら係止フラップ３１が前面パネル１１に対して直交するように、それら係止フラップ３１を一方の側辺３０おいて略９０度折曲し（折り曲げ）、一方の側面パネル１５の側辺３４（側縁）に連接された当接フラップ３５を前面パネル１１の内側に位置させるとともに、一方の側面パネル１５の側辺３４に形成された挿入用切り込み３６にそれら係止フラップ３１を挿入する。係止フラップ３１が挿入用切り込み３６に挿入されることで、係止フラップ３１が挿入用切り込み３６に係入し、一方の側面パネル１５と前面パネル１１とが連結される。
【００４０】
前面パネル１１の他方の側辺３２（側縁）に連接されたそれら係止フラップ３３が前面パネル１１に対して直交するように、それら係止フラップ３３を他方の側辺３２において略９０度折曲し（折り曲げ）、他方の側面パネル１６の側辺３７（側縁）に連接された当接フラップ３８を前面パネル１１の内側に位置させるとともに、他方の側面パネル１６の側辺３７に形成された挿入用切り込み３９にそれら係止フラップ３３を挿入する。係止フラップ３３が挿入用切り込み３９に挿入されることで、係止フラップ３３が挿入用切り込み３９に係入し、他方の側面パネル１６と前面パネル１１とが連結される。
【００４１】
頂面パネル１３が後面パネル１２に対して直交するように、頂面パネル１３を頂辺２４（端縁）において略９０度折曲し（折り曲げ）、当接フラップ４３が頂面パネル１３に対して直交するように、当接フラップ４３を頂辺６８（端縁）において略９０度折曲する（折り曲げる）。当接フラップ４３を前面パネル１１の内側に位置させるとともに、押さえフラップ４１の挿入開口４２に前面パネル１１の頂辺２８（端縁）に連接された差し込みフラップ２９を挿入する。押さえフラップ４１の挿入開口４２に差し込みフラップ２９を挿入することで、差し込みフラップ２９が挿入開口４２に係入し、前面パネル１１と頂面パネル１３とが連結される。それら押さえフラップ４１は、前面パネル１１の頂辺２８から前後方向前方へ延出する。
【００４２】
次に、第１〜第３切り離し線１８〜２０に囲繞された所定面積の切り離しパネル２１を底辺２３（下端縁）において折曲し（折り曲げ）、切り離しパネル２１が前面パネル１１に対して直交するように、切り離しパネル２１を前面パネル１１から前後方向前方へ旋回させる。切り離しパネル２１を前面パネル１１から前後方向前方へ旋回させると、切り離しパネル２１と同面積の開口６９が前面パネル１１に形成される。切り離しパネル２１を旋回させた後、切り離しパネル２１の前半部分（第２当接パネル６５）が切り離しパネル２１の後半部分（第１当接パネル６４）に対して直交するように、切り離しパネル２１の前半部分を第１折り曲げ線４７において略９０度折曲し（折り曲げ）、第７〜第９切り離し線５２〜５４によって切り離された切り離しパネル２１の中央部分（接地パネル６７）が切り離しパネル２１の前半部分（第２当接パネル６５）に対して直交するように、第７〜第９切り離し線５２〜５４によって切り離された切り離しパネル２１の中央部分を第２折り曲げ線４８において略９０度折曲する（折り曲げる）。
【００４３】
切り離しパネル２１の前半部分を第１折り曲げ線４７において折曲すると、切り離しパネル２１の後半部分（第１当接パネル６４）が前面パネル１１の底辺２３から前後方向前方へ延び、切り離しパネル２１の前半部分（第２当接パネル６５）が第１折り曲げ線４７から上下方向上方へ延びるとともに、第４〜第６切り離し線４９〜５１によって切り離された切り離しパネル２１の中央部分（脚パネル６６）が第１折り曲げ線４７から上下方向下方へ延びる。脚パネル６６は、その先端辺７０（先端縁）がボックスティッシュホルダー付き箱１０を載置する載置箇所の載置面に当接（接地）する。第７〜第９切り離し線５２〜５４によって切り離された切り離しパネル２１の中央部分を第２折り曲げ線４８において折曲すると、第７〜第９切り離し線５２〜５４によって切り離された切り離しパネル２１の中央部分（接地パネル６７）が前後方向前方へ延びる。接地パネル６７は、ボックスティッシュホルダー付き箱１０を載置する載置箇所の載置面に面で当接（接地）する。
【００４４】
図５は、ボックスティッシュ７１を載置した状態で示す使用状態のボックスティッシュホルダー付き箱１０の斜視図であり、図６は、使用済みのティッシュペーパー７２の収容スペース１７からの廃棄を説明するボックスティッシュホルダー付き箱１０の斜視図である。ボックスティッシュホルダー付き箱１０の使用手順の一例を説明すると、以下のとおりである。
【００４５】
図１の状態に組み立てられたボックスティッシュホルダー付き箱１０を所定の載置箇所（テーブルや机等の上の平坦な箇所）に載置する。ボックスティッシュホルダー付き箱１０を載置箇所に載置すると、脚パネル６６の先端辺７０（先端縁）が載置面に当接（接地）し、接地パネル６７が載置面に面で当接（接地）する。脚パネル６６の先端辺７０が載置面に当接することで、第１当接パネル６４が上下方向上方へ持ち上げられ、第１当接パネル６４が前面パネル１１の底辺２３から第２当接パネル６５に向かって上り勾配に傾斜し、第２当接パネル６５が前面パネル１１に向かって所定角度で傾斜する。更に、当接フラップ３５，３８を連接した側面パネル１５，１６の側辺３４，３７の長さ寸法が側面パネル１５，１６を連接した後面パネル１２の側辺２５，２６の長さ寸法よりも長いから、前面パネル１１がその底辺２３から頂辺２８に向かって後面パネル１２の側に向かって傾斜し、前面パネル１２と第２当接パネル６５とが互いに平行するように上下方向へ延びる。
【００４６】
ボックスティッシュホルダー付き箱１０には、図５に示すように、前面パネル１１と第１当接パネル６４（切り離しパネル２１）と第２当接パネル６５（切り離しパネル２１）との間にボックステッシュ７１を載置可能なボックスティッシュホルダー４６が画成されている。ボックスティッシュホルダー付き箱１０では、前面パネル１１と第１当接パネル６４と第２当接パネル６５との間に画成されたボックスティッシュホルダー４６にボックステッシュ７１を横にした状態で載置する（嵌め込む）。
【００４７】
ボックスティッシュホルダー４６にボックステッシュ７１を載置すると（嵌め込むと）、切り離しパネル２１が切り離された後の前面パネル１２の外面にボックステッシュ７１の底面が当接し、第１当接パネル６４の上面（切り離しパネル２１の上面）にボックステッシュ７１の前後面のうちのいずれか一方が当接するとともに、第２当接パネル６５の内面（切り離しパネル２１の上面）にボックステッシュ７１の頂面が当接する。
【００４８】
なお、それら押さえフラップ４１が前面パネル１１の頂辺２３から前後方向前方へ延出し、ボックステッシュ７１がボックスティッシュホルダー４６から上方へ移動したときに、それら押さえフラップ４１がボックステッシュ７１の前後面のうちのいずれか他方に当接することで、ボックステッシュ７１のボックスティッシュホルダー４６から上方への抜脱が防がれる。又、第１当接パネル６４が上り勾配に傾斜し、第２当接パネル６５が所定角度で傾斜するから、ボックスティッシュ７１をボックスティッシュホルダー４６に載置したときに、第１当接パネル６４に載置されたボックスティッシュ７１が前面パネル１１に向かって倒れ込むとともに、ボックスティッシュ７１の底面が前面パネル１１に寄り掛かる。
【００４９】
ボックスティッシュホルダー付き箱１０では、ティッシュペーパー７２をボックスティッシュ７１の頂部開口から引き出し、引き出したティッシュペーパー７２を使用した後、使用済みのティッシュペーパー７２を頂面パネル１３の頂部開口２２から収容スペース１７に挿入する。使用済みのティッシュペーパー７２は、収容スペース１７に収容される。ボックスティッシュ７１のティッシュペーパー７２を使い切った場合、空のボックスティッシュ７１をボックスティッシュホルダー４６から取り外し、新たなボックスティッシュ７１をボックスティッシュホルダー４６に載置（設置）する。
【００５０】
使用済みのティッシュペーパー７２が収容スペース１７に溜まった場合、図６に示すように、ボックスティッシュホルダー４６からボックスティッシュ７１を取り外し、前面パネル１１に形成された開口６９から使用済みのティッシュペーパー７２を排出し、使用済みのティッシュペーパー７２をボックスティッシュホルダー付き箱１０から廃棄する。使用済みのティッシュペーパー７２をボックスティッシュホルダー付き箱１０から廃棄した後、ボックスティッシュホルダー付き箱１０を再び載置箇所に載置するとともに、ボックスティッシュ７１をボックスティッシュホルダー４６に載置（設置）する。
【００５１】
ボックスティッシュホルダー付き箱１０は、第１〜第３切り離し線１８〜２０に囲繞された所定面積の切り離しパネル２１が前面パネル１１に画成され、切り離しパネル２１が第１〜第３切り離し線１８〜２０によって前面パネル１１から切り離され、切り離しパネル２１が底面パネル１４と並行するように前面パネル１１の底辺２３を中心に前後方向前方へ折り曲げられるとともに、切り離しパネル２１が第１折り曲げ線４７で折り曲げられることで、第１及び第２当接パネル６４，６５が形成され、前面パネル１１及び第１及び第２当接パネル６４，６５によってボックステッシュ７１を載置可能なボックスティッシュホルダー４６が形成されるから、六面体の箱１０の前面パネル１１に画成された切り離しパネル２１を利用してボックスティッシュホルダー４６を作ることができ、ボックスティッシュホルダー４６を備えた箱１０を短時間に効率よく組み立てることができ、箱１０を廉価に作ることができる。
【００５２】
ボックスティッシュホルダー付き箱１０は、それ自体の前面パネル１１に画成された切り離しパネル２１（第１及び第２当接パネル６４，６５）を利用してボックスティッシュホルダー４６が作られているから、箱１０とは別の部材を利用することなく、更に、箱１０がプラスチックシート又は厚紙から作られているから、軽量であって容易に持ち運ぶことができ、各箇所に手軽に移動させてその載置場所を容易に変えることができる。
【００５３】
ボックスティッシュホルダー付き箱１０は、前面パネル１１にボックステッシュ７１の底面を当接させ、切り離しパネル２１の第１当接パネル６４にボックステッシュ７１の前後面のうちのいずれか一方を当接させるとともに、切り離しパネル２１の第２当接パネル６５にボックステッシュ７１の頂面を当接させることで、前面パネル１１の部分（切り離しパネル２１）を利用したボックスティッシュホルダー４６にボックスティッシュ７１を載置することができ、六面体の箱１０の前面パネル１１に画成された切り離しパネル２１（第１及び第２当接パネル６４，６５）を利用したボックスティッシュホルダー４６にボックスティッシュ７１を確実に支持させることができる。ボックスティッシュホルダー付き箱１０は、ボックスティッシュホルダー４６に載置されたボックスティッシュ７１のティッシュペーパー７２を使用しつつ、使用済みのティッシュペーパー７２を頂面パネル１３の頂部開口２２から収容スペース１７に収容することで、収容スペース１７を使用済みのティッシュペーパー７２を収容するゴミ箱として利用することができる。
【００５４】
ボックスティッシュホルダー付き箱１０は、ボックスティッシュホルダー付き箱１０を載置する載置面に接地パネル６７が面で当接することで、脚パネル６６のずれ動きを確実に防ぐことができ、脚パネル６６の先端辺７０を載置面に対してずれ動くことなく当接させることができるとともに、載置面に面で当接する接地パネル６７によって脚パネル６６の先端辺７０が載置面に対してずれ動くことなく当接するから、第１当接パネル６４を前面パネル１１の底辺２３から第２当接パネル６５に向かって上り勾配に傾斜させることができる。
【００５５】
ボックスティッシュホルダー付き箱１０は、脚パネル６６の先端辺７０（先端縁）をボックスティッシュホルダー付き箱１０を載置する載置面に当接させることで、第１当接パネル６４を前面パネル１１の底辺２３から第２当接パネル６５に向かって上り勾配に傾斜させ、第２当接パネル６５を所定角度で傾斜させることができるから、ボックスティッシュ７１をボックスティッシュホルダー４６に載置（設置）したときに、第１当接パネル６４に載置されたボックスティッシュ７１が前面パネル１１に向かって倒れ込むとともに、第２当接パネル６５にボックスティッシュ７１の頂面が当接し、ボックスティッシュホルダー４６に載置されたボックスティッシュ７１の底面を前面パネル１１に寄り掛からせることができ、ボックスティッシュ７１をボックスティッシュホルダー４６に確実に支持させることができる。
【符号の説明】
【００５６】
１０    ボックスティッシュホルダー付き箱
１１    前面パネル
１２    後面パネル
１３    頂面パネル
１４    底面パネル
１５    側面パネル
１６    側面パネル
１７    収容スペース
１８    第１切り離し線
１９    第２切り離し線
２０    第３切り離し線
２１    切り離しパネル
２２    頂部開口
２３    底辺（下端縁）
２４    底辺（下端縁）
２５    側辺（側縁）
２６    側辺（側縁）
２７    頂辺（上端縁）
２８    頂辺（上端縁）
２９    差し込みフラップ
３０    側辺（側縁）
３１    係止フラップ
３２    側辺（側縁）
３３    係止フラップ
３４    側辺（側縁）
３５    当接フラップ
３６    挿入用切り込み
３７    側辺（側縁）
３８    当接フラップ
３９    挿入用切り込み
４０    摘持パネル
４１    押さえフラップ
４２    挿入開口
４３    当接フラップ
４４    延出端
４５    延出端
４６    ボックスティッシュホルダー
４７    第１折り曲げ線
４８    第２折り曲げ線
４９    第４切り離し線
５０    第５切り離し線
５１    第６切り離し線
５２    第７切り離し線
５３    第８切り離し線
５４    第９切り離し線
５５    前辺（前端縁）
５６    側辺（側縁）
５７    延出端
５８    側辺（側縁）
５９    延出端
６０    延出端
６１    延出端
６２    延出端
６３    延出端
６４    第１当接パネル
６５    第２当接パネル
６６    脚パネル
６７    接地パネル
６８    頂辺（上端縁）
６９    開口
７０    先端辺（先端縁）
７１    ボックスティッシュ
７２    ティッシュペーパー
【図１】
2020090313.tif 000003
【図２】
2020090313.tif 000004
【図３】
2020090313.tif 000005
【図４】
2020090313.tif 000006
【図５】
2020090313.tif 000007
【図６】
2020090313.tif 000008